(57)【要約】【課題】  複数のシリンドリカルレンズ同士の母線を相互に一致させることができるシリンドリカルレンズの母線周方向角度調整装置を提供すること。【解決手段】  シリンドリカルレンズ７を保持するレンズ保持筒２と、レンズ保持筒２を内周側に配置する外周筒３と、レンズ保持筒２の外周側に設けられ、レンズ保持筒２の光軸Ｘと交差する軸８Ａに対して偏芯したカム面４Ｃを有するカム部材４と、外周筒３に形成され、カム部材４と光軸Ｘの周方向で係合する長孔６（カム部材係合部）とを有し、レンズ保持筒２は、外周筒３に対して、光軸Ｘの周方向に等間隔の少なくとも３方向で支持されていることとする。【選択図】図２
2019066893.tif 000002
【特許請求の範囲】
【請求項１】
シリンドリカルレンズを保持するレンズ保持筒と、
前記レンズ保持筒を内周側に配置する外周筒と、
前記レンズ保持筒の外周側に設けられ、前記レンズ保持筒の光軸と交差する軸に対して偏心したカム面を有するカム部材と、
前記外周筒に形成され、前記カム部材と前記光軸の周方向で係合するカム部材係合部と、
前記外周筒を内周側に配置する調整環と、
前記調整環の前記光軸の周方向への回転により、前記レンズ保持筒を前記光軸に沿って移動させるレンズ保持筒移動機構と、
を有し、
前記レンズ保持筒は、前記外周筒に対して、前記光軸の周方向に等間隔の少なくとも３方向で支持されていて、
前記レンズ保持筒移動機構は、
前記レンズ保持筒と前記調整環とが前記光軸に沿う方向で互いに係合すると共に、前記調整環の前記光軸の周方向への回転が許容される係合手段と、
前記外周筒の外周面と前記調整環の内周面とに、前記調整環の前記光軸の周方向への回転により前記調整環を前記光軸に沿って移動させるねじ部と、
を有し、
前記係合手段は、
前記レンズ保持筒の外周に前記調整環に向けて突出する突出部と、
前記調整環の内周面に前記光軸の周方向に沿って形成され、前記突出部と係合する突出部係合凹部と、
を有し、
前記外周筒には、前記突出部が挿通される突出部挿通孔が形成され、
前記突出部挿通孔に挿通された前記突出部と前記突出部挿通孔との間には、前記光軸の周方向および前記光軸に平行な方向に間隔を有し、
前記突出部の直径と前記突出部挿通孔の幅の差は、前記カム部材における前記カム面の偏心量の２倍以上に設けられている、
ことを特徴とするシリンドリカルレンズの母線周方向角度調整装置。
【請求項２】
請求項１記載のシリンドリカルレンズの母線周方向角度調整装置において、
前記調整環には、外周側と内周側の前記突出部係合凹部とに貫通する孔部が形成されていて、当該孔部には前記突出部が入り込む、
ことを特徴とするシリンドリカルレンズの母線周方向角度調整装置。
【請求項３】
請求項１または２記載のシリンドリカルレンズの母線周方向角度調整装置において、
前記カム部材係合部は前記突出部挿通孔に形成されている、
ことを特徴とするシリンドリカルレンズの母線周方向角度調整装置。
【請求項４】
請求項１から３のいずれか１項に記載のシリンドリカルレンズの母線周方向角度調整装置を有することを特徴とするレンズ鏡筒。
【請求項５】
請求項４に記載のレンズ鏡筒において、
前記シリンドリカルレンズの母線周方向角度調整装置は、前記レンズ鏡筒に備えられる複数のレンズのうち前群よりも後側に配置されるシリンドリカルレンズに対して備えられることを特徴とするレンズ鏡筒。
【発明の詳細な説明】
【技術分野】
【０００１】
本発明は、シリンドリカルレンズの母線周方向角度調整装置およびシリンドリカルレンズの母線周方向角度調整装置を有するレンズ鏡筒に関する。
【背景技術】
【０００２】
たとえば、映画フィルムを用いたシネマスコープ方式の撮影・再生（映写）においては、撮影時に映画用のスクリーン（ワイドスクリーン）に対して左右方向のサイズを約半分に圧縮・縮小して撮影、再生時においては、圧縮されて撮影された画像を元のサイズに戻して拡大しワイドスクリーン映像として映写することが行われる。撮影時の画像の圧縮および再生時の画像の復元は、たとえば、特許文献１に示すような、シリンドリカルレンズが備えられる撮影レンズおよび投射レンズを用いて行われる。
【先行技術文献】
【特許文献】
【０００３】
【特許文献１】特開平３−２５４０７号公報
【発明の概要】
【発明が解決しようとする課題】
【０００４】
しかしながら、シリンドリカルレンズが複数枚備えらえる場合には、各シリンドリカルレンズ同士の母線を相互に一致させる必要がある。そこで、本発明は、複数のシリンドリカルレンズ同士の母線を相互に一致させることができるシリンドリカルレンズの母線周方向角度調整装置を提供することを目的とする。
【課題を解決するための手段】
【０００５】
上記課題を解決するために、シリンドリカルレンズの母線周方向角度調整装置は、シリンドリカルレンズを保持するレンズ保持筒と、レンズ保持筒を内周側に配置する外周筒と、レンズ保持筒の外周側に設けられ、レンズ保持筒の光軸と交差する軸に対して偏芯したカム面を有するカム部材と、外周筒に形成され、カム部材と光軸の周方向で係合するカム部材係合部とを有し、レンズ保持筒は、外周筒に対して、光軸の周方向に等間隔の少なくとも３方向で支持されていることとする。
【０００６】
また、上記発明に加えて、上述のシリンドリカルレンズの母線周方向角度調整装置は、外周筒を内周側に配置する調整環と、調整環の光軸の周方向への回転により、レンズ保持筒を光軸に沿って移動させるレンズ保持筒移動機構とを備えることとする。
【０００７】
また、上記発明に加えて、上述のシリンドリカルレンズの母線周方向角度調整装置のレンズ保持筒移動機構は、レンズ保持筒と調整環とが光軸に沿う方向で互いに係合すると共に、調整環の光軸の周方向への回転が許容される係合手段と、外周筒の外周面と調整環の内周面とに、調整環の光軸の周方向への回転により調整環を光軸に沿って移動させるねじ部とを有し、係合手段は、レンズ保持筒の外周に調整環に向けて突出する突出部と、調整環の内周面に光軸の周方向に沿って形成され、突出部と係合する突出部係合凹部とを有し、外周筒には、突出部が挿通される突出部挿通孔が形成され、突出部挿通孔に挿通された突出部と突出部挿通孔との間には、光軸の周方向および光軸に平行な方向に間隔を有することとする。
【０００８】
また、上記発明に加えて、上述のシリンドリカルレンズの母線周方向角度調整装置において、カム部材係合部は突出部挿通孔に形成されていることとする。
【０００９】
上記課題を解決するために、レンズ鏡筒に上述のシリンドリカルレンズの母線周方向角度調整装置を有することとする。
【００１０】
また、上記発明に加えて、上述のレンズ鏡筒において、シリンドリカルレンズの母線周方向角度調整装置は、レンズ鏡筒に備えられる複数のレンズのうち前群よりも後側に配置されるシリンドリカルレンズに対して備えられることとする。
【図面の簡単な説明】
【００１１】
【図１】本発明の実施の形態に係るシリンドリカルレンズの母線周方向角度調整装置が取り付けられている撮影用レンズ鏡筒の外観の斜視図である。
【図２】調整装置の分解斜視図である。
【図３】調整装置の光軸を含む面における断面の構成を示す図である。
【図４】調整装置のカム部材およびカムフォロワーが取り付けられている部分を拡大して示す図である。
【発明を実施するための形態】
【００１２】
図１は、レンズ鏡筒の一例として、本発明の実施の形態に係るシリンドリカルレンズの母線周方向角度調整装置（以下、単に「調整装置」と記載する）１（図２参照）が取り付けられている撮影用レンズ鏡筒２００の外観の斜視図である。撮影用レンズ鏡筒２００には、２つ以上のシリンドリカルレンズが備えられている。図２，３は、調整装置１の構成を示す図である。図２は、調整装置１の分解斜視図である。図３は、調整装置１の光軸Ｘを含む面における断面の構成を示す図である。以下の説明において、各図面に示す、矢示Ｘ１方向を前方、矢示Ｘ２方向を後方として説明する。撮影用レンズ鏡筒２００および調整装置１においては、矢示Ｘ１方向から矢示Ｘ２方向に向かって撮影光が進行する。
【００１３】
（調整装置１）
調整装置１は、レンズ保持筒２と、外周筒３と、カム部材４と、調整環５と、長孔６とを有する。レンズ保持筒２には、シリンドリカルレンズ７が保持される。シリンドリカルレンズ７は、調整装置１の調整対象となるレンズである。つまり、調整装置１は、シリンドリカルレンズ７の母線の光軸Ｘに対する光軸Ｘの周方向における角度（以下、単位に「周方向角度」と記載する）の調整（以下、この調整を「周方向角度調整」と記載する）することができる。また、調整装置１は、シリンドリカルレンズ７のスラスト方向（光軸Ｘと平行な方向、すなわち前後方向）の位置調整（以下、この調整を「スラスト位置調整」と記載する）を行うことができる。
【００１４】
図２，３において、調整装置１の後方に配置されるシリンドリカルレンズ２０１は、レンズ保持筒２０２に保持される。撮影用レンズ鏡筒２００は、調整装置１を備えることにより、シリンドリカルレンズ２０１に対して、シリンドリカルレンズ７の周方向角度調整およびスラスト位置調整を行うことができる。したがって、周方向角度調整によりシリンドリカルレンズ７の母線を、シリンドリカルレンズ２０１の母線に一致させることができる。また、スラスト位置調整により、シリンドリカルレンズ７とシリンドリカルレンズ２０１との間のレンズ間隔を調整することができる。
【００１５】
（レンズ保持筒２，外周筒３）
レンズ保持筒２は、外周筒３の内周に挿入される。すなわち、レンズ保持筒２は、外周筒３の内周側に配置される。レンズ保持筒２の外周面の前後には、全周に亘って外側に向かって突出し、外周筒３の内周面３Ａ（図３参照）に当接するリム部２Ａ，２Ａが形成されている。つまり、レンズ保持筒２は、外周筒３に対してリム部２Ａ，２Ａにおいて光軸Ｘの周方向全周に亘って支持されている。そして、レンズ保持筒２のリム部２Ａ，２Ａにおける直径２Ｌと、外周筒３の内周の直径３Ｌ（図３参照）とは、レンズ保持筒２が外周筒３の内周に挿入された状態で、レンズ保持筒２が外周筒３に対してラジアル方向（光軸Ｘと直交する方向）にガタを有することなく、スラスト方向にスムーズに移動でき、また、光軸Ｘの周方向にスムーズに回転できるように設定されている。
【００１６】
外周筒３の前側の外周には、フランジ部３Ｂが設けられている。フランジ部３Ｂは、調整装置１の撮影用レンズ鏡筒２００に対する取り付け部である。つまり、調整装置１は、フランジ部３Ｂを介して、撮影用レンズ鏡筒２００側の不図示の取り付け部に対しねじ等により取り付けられ、撮影用レンズ鏡筒２００に対して固定される。
【００１７】
（カム部材４）
カム部材４は、大径部４Ａと小径部４Ｂとを有する。大径部４Ａおよび小径部４Ｂは、共に円筒形を呈し、大径部４Ａの側面がカム面４Ｃとして構成されている。図４に示すように、大径部４Ａの中心軸４ＡＡは、小径部４Ｂの中心軸４ＢＢに対して偏心している。図４は、調整装置１のカム部材４および後述のカムフォロワー９が取り付けられている部分を拡大して示す図である。
【００１８】
レンズ保持筒２には、小径部４Ｂを嵌合できる穴部２Ｂが形成されている。カム部材４は、小径部４Ｂを穴部２Ｂに嵌合させ、取付ピン８によりレンズ保持筒２に取り付けられている。取付ピン８は、カム部材４を貫通し、レンズ保持筒２に対して圧入あるいはねじ着される。取付ピン８の中心軸８Ａと、小径部４Ｂの中心軸４ＢＢ（図４参照）とは一致し、各軸は、光軸Ｘに対して直交する配置である。大径部４Ａは、中心軸４ＢＢおよび中心軸８Ａを回転軸として偏心した回転をすることができる。つまり、カム面４Ｃは、光軸Ｘに対して直交する軸に対して偏心したカム面である。
【００１９】
（カムフォロワー９）
レンズ保持筒２には、レンズ保持筒２の外周に突出する突出部としてのカムフォロワー９が取り付けられている。カムフォロワー９は、光軸Ｘを挟んだ２か所に備えられている。
【００２０】
カムフォロワー９は、カラー部９Ａと、カラー部９Ａを回転自在に支持する支持部９Ｂと、取付ピン９Ｃとを有する。レンズ保持筒２には、支持部９Ｂを嵌合できる穴部２Ｃが形成されている。カムフォロワー９は、支持部９Ｂを穴部２Ｃに嵌合させ、取付ピン９Ｃによりレンズ保持筒２に取り付けられている。取付ピン９Ｃは、カラー部９Ａおよび支持部９Ｂを貫通し、レンズ保持筒２に対して圧入あるいはねじ着される。カラー部９Ａは、取付ピン９Ｃの後端のフランジ部９Ｄと支持部９Ｂの段部９Ｅとに挟持された状態で、支持部９Ｂの周りに回転自在となっている。
【００２１】
（調整環５）
外周筒３の後端は、調整環５の内周に挿入される。外周筒３の外周面には雄ねじ部３Ｃが形成され、調整環５の内周面には雌ねじ部５Ａが形成されている。雄ねじ部３Ｃと雌ねじ部５Ａとは、外周筒３を調整環５の内周に挿入したときに互いに螺合する。したがって、雄ねじ部３Ｃと雌ねじ部５Ａとを螺合させた状態で調整環５を光軸Ｘの周方向に回転させると、調整環５は、雄ねじ部３Ｃおよび雌ねじ部５Ａのリードにしたがって外周筒３に対してスラスト方向に前後する。
【００２２】
調整環５の内周面には、突出部係合凹部としての溝部５Ｂが形成されている。溝部５Ｂは、調整環５の内周面の全周に亘って、光軸Ｘと直交する面に沿って形成されている。溝部５Ｂの前後方向の幅５Ｗは、カムフォロワー９のカラー部９Ａが前後方向にガタを有することなく嵌まると共に、溝部５Ｂをカラー部９Ａに対して光軸Ｘの周方向にスムーズに移動できるように設定されている。つまり、カムフォロワー９と溝部５Ｂとは、スラスト方向において互いに係合すると共に、溝部５Ｂは、カムフォロワー９に対して光軸Ｘの周方向に移動することができる。調整環５には、孔部５Ｃが形成されている。孔部５Ｃは、溝部５Ｂの部分を調整環５の内周側と外周側とに貫通する孔部である。孔部５Ｃは、光軸Ｘを挟んだ２か所に備えられている。
【００２３】
（長孔６）
外周筒３には、光軸Ｘと平行に前後方向に長い突出部挿通孔としての長孔６が形成されている。長孔６は、光軸Ｘを挟んだ２か所に備えられている。外周筒３の内周側にレンズ保持筒２を挿入した状態で、光軸Ｘを挟んだ２か所に備えられている長孔６のうち一方の長孔６を通して、カム部材４がレンズ保持筒２に取り付けられる。また、調整環５の内周側にレンズ保持筒２が挿入された外周筒３を挿入し、雄ねじ部３Ｃと雌ねじ部５Ａとをねじ結合させる。そして、孔部５Ｃが長孔６に重なるように、調整環５の光軸Ｘの周方向における回転位置を調整し、長孔６に孔部５Ｃが重ねられた状態で、孔部５Ｃおよび長孔６を通してカムフォロワー９がレンズ保持筒２に取り付けられる。
【００２４】
図４に示すように、カム部材４の大径部４Ａの直径４Ｌと、長孔６の光軸Ｘの周方向の幅６Ｗとは、カム面４Ｃと長孔６の内周面６Ａとの間に光軸Ｘの周方向のガタを有することなく、かつ、カム部材４を外周筒３に対してスラスト方向に移動可能とするように設定されている。長孔６の内周面６Ａは、大径部４Ａのカム面４Ｃと光軸Ｘの周方向で係合する。つまり、２つの長孔６うち、カム部材４を通される側の長孔６は、カム部材係合部として機能する。
【００２５】
カムフォロワー９のカラー部９Ａの直径９Ｌは、長孔６の幅６Ｗよりも小さく設定されている。したがって、カラー部９Ａと長孔６の内周面６Ａとの間には隙間が形成されている。具体的には、直径９Ｌと幅６Ｗとの差は、カム部材４の偏心量の２倍以上に設定されている。
【００２６】
（調整装置１の調整動作）
上述のように構成される調整装置１によるシリンドリカルレンズ７の周方向角度調整およびスラスト位置調整の動作について説明する。周方向角度調整は、カム部材４を利用して行われる。大径部４Ａのカム面４Ｃは、中心軸８Ａに対して偏心している。また、長孔６と大径部４Ａとは光軸Ｘの周方向において当接している。したがって、カム部材４の大径部４Ａを中心軸８Ａの周りに回転させると、その回転量に応じて、レンズ保持筒２が光軸Ｘの周方向に回転する。レンズ保持筒２が光軸Ｘの周方向に回転すると、レンズ保持筒２に保持されているシリンドリカルレンズ７も回転する。つまり、カム部材４の大径部４Ａを中心軸８Ａの周りに回転させるとで、シリンドリカルレンズ７の母線の周方向角度を調整することができる。
【００２７】
レンズ保持筒２が光軸Ｘの周方向に回転すると、レンズ保持筒２に取り付けられているカムフォロワー９も一緒に回転する。カムフォロワー９のカラー部９Ａの直径９Ｌは、長孔６の幅６Ｗよりも小さく設定され、カラー部９Ａと長孔６との間には、光軸Ｘの周方向に間隔が開いている。したがって、レンズ保持筒２が光軸Ｘの周方向に回転する際のカムフォロワー９の光軸Ｘの周方向への移動が許容される。
【００２８】
大径部４Ａの端面には、マイナスドライバーを嵌め入れることができる溝４Ｄが形成されている。長孔６の外側から溝４Ｄにマイナスドライバーを嵌め入れることで、大径部４Ａを容易に回転させることができる。
【００２９】
調整環５を外周筒３の周方向に回転させると、調整環５は、外周筒３に対して、雌ねじ部５Ａと雄ねじ部３Ｃとの作用により前後に移動する。溝部５Ｂとカムフォロワー９とは前後方向で係合している。したがて、調整環５が前後に移動することで、カムフォロワー９が前後に移動し、これによりレンズ保持筒２が前後に移動する。つまり、調整環５を回転させ、外周筒３に対して前後に移動させることで、レンズ保持筒２に保持されたシリンドリカルレンズ７が前後に移動され、シリンドリカルレンズ２０１とのレンズ間距離を調整することができる。
【００３０】
レンズ保持筒２がスラスト方向に移動すると、レンズ保持筒２に取り付けられているカム部材４およびカムフォロワー９も一緒に移動する。長孔６の前後方向の長さは、カム部材４およびカムフォロワー９が配置される前後方向の長さよりも長く設定されている。したがって、レンズ保持筒２が前後方向に移動する際に、カム部材４およびカムフォロワー９の前後方向への移動が許容される。
【００３１】
なお、シリンドリカルレンズ７の周方向角度調整およびスラスト位置調整が完了した後、カム部材４と長孔６との間に接着剤を充填することで、カム部材４の回転止めを行うことができる。また、固定ビス１０を調整環５から外周筒３側にねじ込むことで、調整環５を外周筒３に対して回転止めすることができる。
【００３２】
（本発明の実施の形態の主な効果）
調整装置１は、シリンドリカルレンズ７を保持するレンズ保持筒２と、このレンズ保持筒２を内周側に配置する外周筒３と、レンズ保持筒２の外周側に設けられ、レンズ保持筒２の光軸Ｘと交差する軸である中心軸８Ａ（中心軸４ＢＢ）に対して偏芯したカム面４Ｃを有するカム部材４と、外周筒３に形成され、カム部材４と光軸Ｘの周方向で係合するカム部材係合部としての長孔６とを有する。そして、レンズ保持筒２の外周面の前後には、全周に亘って外側に向かって突出し、外周筒３の内周面３Ａに当接するリム部２Ａ，２Ａが形成され、このリム部２Ａ，２Ａを介してレンズ保持筒２は外周筒３に対して光軸Ｘの周方向全周に亘って支持されている。
【００３３】
上述の構成を備える調整装置１は、レンズ保持筒２が外周筒３内に全周に亘って支持されている。このため、レンズ保持筒２は、外周筒３内で光軸Ｘを中心にして回転することができる。そして、調整装置１は、レンズ保持筒２に備えられるカム部材４と、外周筒３に形成され、カム部材４と係合可能な長孔６とを有する。カム部材４は光軸Ｘと交差する軸である中心軸８Ａ（中心軸４ＢＢ）の周りに回転可能であり、レンズ保持筒２は光軸Ｘを中心に回転可能である。このため、カム部材４を回転させることで、レンズ保持筒２を光軸Ｘの周方向に回転させることができ、レンズ保持筒２に保持されているシリンドリカルレンズ７の母線の周方向角度を調整することができる。
【００３４】
上述の調整装置１は、レンズ保持筒２が光軸Ｘの周方向の全周に亘って外周筒３に支持されている。しかしながら、レンズ保持筒２は、光軸Ｘの周方向に等間隔で少なくとも３方向で支持されていればよい。光軸Ｘの周方向に等間隔の３方向で支持されることで、レンズ保持筒２は光軸Ｘを中心に回転することができる。たとえば、リム部２Ａ，２Ａは、レンズ保持筒２の全周に設けることなく、光軸Ｘの周方向に等間隔で３分割された構成としてもよい。
【００３５】
上述の調整装置１は、外周筒３を内周側に配置する調整環５を有し、外周筒３と調整環５とは、ねじ部として互いにねじ結合する雄ねじ部３Ｃおよび雌ねじ部５Ａを有する。レンズ保持筒２は、突出部としてのカムフォロワー９を有し、調整環５は、突出部係合凹部としての溝部５Ｂを有し、そして、外周筒３には、カムフォロワー９が挿通される突出部挿通孔としての長孔６が形成されている。カムフォロワー９と長孔６との間には、光軸Ｘの周方向およびスラスト方向に間隔が形成されている。
【００３６】
調整装置１は、上述の構成を備えることにより、調整環５を光軸Ｘの周方向に回転させることで、調整環５をスラスト方向に前後に移動させることができる。調整環５がスラスト方向に移動することで、溝部５Ｂおよびカムフォロワー９を介してレンズ保持筒２をスラスト方向に移動でき、これによりシリンドリカルレンズ７のスラスト位置調整を行うことができる。
【００３７】
調整装置１においては、レンズ保持筒２と調整環５とを光軸Ｘに沿う方向で互いに係合させると共に、調整環５の光軸Ｘの周方向への回転を許容する係合手段として、カムフォロワー９および溝部５Ｂが備えられている。また、調整環５の光軸Ｘの周方向への回転により、レンズ保持筒２をスラスト方向に移動させるレンズ保持筒移動機構として、カムフォロワー９および溝部５Ｂを備える係合手段と、雄ねじ部３Ｃおよび雌ねじ部５Ａとが備えられている。しかしながら、レンズ保持筒移動機構は、上記の構成に限らず、たとえば、溝部５Ｂを前後方向に傾斜したカム角のカム溝とする構成としてもよい。この構成とした場合は、調整環５を雄ねじ部３Ｃと雌ねじ部５Ａとの作用により前後に移動させなくても、調整環５を光軸Ｘの周方向に回転させるだけで、レンズ保持筒２を前後方向に移動させることができる。また、溝部５Ｂに係合する突出部は、カムフォロワー９に限らず、溝部５Ｂと係合し、調整環５の光軸Ｘの周方向の回転が許容されればよい。したがって、溝部５Ｂに係合する突出部は、カムフォロワー９に換えて、たとえば、円筒状の突起としてもよい。しかしながら、カムフォロワー９とすることで、カラー部９Ａが回転するため、調整環５の回転をスムーズに行うことができる。
【００３８】
調整装置１においては、突出部挿通孔としての長孔６がカム部材係合部を兼ねた構成となっているが、カム部材４が挿通されるカム部材係合用の孔部と、カムフォロワー９が挿通される突出部挿通用の孔部とを別々に備える構成としてもよい。しかしながら、突出部挿通用の孔部をカム部材係合部用の孔部に兼ねることで、外周筒３の構成を簡単化することができる。
【００３９】
撮影用レンズ鏡筒２００には、シリンドリカルレンズが複数備えられ、少なくとも１つのシリンドリカルレンズに対し調整装置１が備えられている。調整装置１を用いることで調整装置１が備えられているシリンドリカルレンズの母線の周方向角度調整およびスラスト位置調整を行うことができ、シリンドリカルレンズ間の母線の周方向角度調整やレンズ間距離を調整することができる。
【００４０】
調整装置１の調整対象となるシリンドリカルレンズは、撮影用レンズ鏡筒２００の前玉、すなわち、被写体に対して最前面のレンズとして用いることもできるが、前玉よりも後方に配置することが好ましい。前玉よりも後方に配置することで、シリンドリカルレンズの小型化を図ることができる。調整装置１を画像の投射あるいは映写用の投射（映写）レンズ鏡筒に用いる場合も同様に、投射（映写）面に対して最前位置に調査対象となるシリンドリカルレンズを備えるよりも、最前位置よりも後方に配置することが、シリンドリカルレンズの小型化の観点と、シリンドリカルレンズに収差補正を担わせることができる観点とで好ましい。
【００４１】
上述の調整装置１は、シリンドリカルレンズ２０１に対してシリンドリカルレンズ７の周方向角度調整およびスラスト位置調整を行う例を示したが、調整対象となるシリンドリカルレンズが複数備えられる場合には、調整対象のレンズにそれぞれ調整装置１を備えることが好ましいが、結像状態への影響の大きなシリンドリカルレンズについてのみ備えることとしてもよい。
【符号の説明】
【００４２】
１  …  調整装置（シリンドリカルレンズの母線周方向角度調整装置）
２  …  レンズ保持筒
３  …  外周筒
３Ｃ  …  雄ねじ部（ねじ部）
４  …  カム部材
４Ｃ  …  カム面
５  …  調整環
５Ａ  …  雌ねじ部（ねじ部）
５Ｂ  …  溝部（突出部係合凹部）
６  …  長孔（カム部材係合部、突出部挿通孔）
７  …  シリンドリカルレンズ
８Ａ  …  軸
９  …  カムフォロワー（突出部。）
Ｘ  …  光軸
２００  …  撮影用レンズ鏡筒（レンズ鏡筒）
【図１】
2019066893.tif 000003
【図２】
2019066893.tif 000004
【図３】
2019066893.tif 000005
【図４】
2019066893.tif 000006